(57)【要約】【課題】  遊技機の勝率を制御するＲＯＭ等はの不正操作を防止するため裏側カバーを施錠することのできる施錠装置を提供する。【解決手段】  施錠用板部１６と、該施錠用板部と直交して錠取着用板部１７が形成された基枠１５の内側に、前記錠取着用板部に取着されたシリンダー錠２２の錠軸２１が突出し、該錠軸に掛け金２３が固定され、前記シリンダー錠のキーの施錠・解錠操作により、前記掛け金が前記施錠用板部から外方に出没可能とされており、前記施錠用板部に設けられた軸受を中心に前記基枠が前記前面枠２側に設けられた支軸を中心にロック位置とアンロック位置との間で回動可能とされ、ロック位置において裏側カバー９を係止する。【選択図】  図３
0003101968.tif 000002
【実用新案登録請求の範囲】
【請求項１】
遊技機の前面枠裏側に配設された裏側カバーを施錠する施錠装置であって、
施錠用板部と、該施錠用板部と直交して錠取着用板部が形成された基枠の内側に、前記錠取着用板部に取着されたシリンダー錠の錠軸が突出し、該錠軸に掛け金が固定され、前記シリンダー錠のキーの施錠・解錠操作により、前記掛け金が前記施錠用板部から外方に出没可能とされており、前記施錠用板部に設けられた軸受を中心に前記基枠が前記前面枠側に設けられた支軸を中心にロック位置とアンロック位置との間で回動可能とされ、
前記基枠のロック位置において、前記施錠用板部に形成された係止部によって裏側カバーを係止し、前記シリンダー錠の施錠操作で、前記掛け金による施錠が行われ、前記シリンダー錠の解錠操作で、前記掛け金の解錠が行われ、前記基枠がアンロック位置に回動されることにより、前記係止部による裏側カバーの係止が解除されることを特徴とする遊技機の裏側カバーの施錠装置。
【請求項２】
前記施錠用板部は、逆Ｌ字形状であって、該逆Ｌ字形状の長辺側の外側端縁から前記錠取着用板部が起立しており、長辺側の内側端縁に沿って前記掛け金が前記錠軸を中心に回動可能とされ、前記逆Ｌ字形状の角部に前記軸受が設けられ、前記逆Ｌ字形状の短辺側が前記裏側カバーを係止する係止部として機能するようになっていることを特徴とする請求項１記載の遊技機の裏側カバーの施錠装置。
【請求項３】
前記軸受は、すべり軸受であることを特徴とする請求項１または２記載の遊技機の裏側カバーの施錠装置。
【請求項４】
前記基枠の内側を保護する保護カバーが、前記基枠に取り付けられていることを特徴とする請求項１、２または３記載の遊技機の裏側カバーの施錠装置。
【請求項５】
前記裏側カバーが前面枠の裏側において、前記前面枠に対し開閉可能にヒンジ結合されており、
前記支軸が前記前面枠に配設されてなることを特徴とする請求項１、２、３または４記載の遊技機の裏側カバーの施錠装置。
【考案の詳細な説明】
【技術分野】
【０００１】
この考案は、遊技機の裏側カバーの施錠装置に関するものである。さらに詳しくは、この考案は、パチンコ、パチスロ、スロットマシン、スマートボール、アレンジボールに例示される遊技機への不正操作を防止するための裏側カバーを施錠するための施錠装置に関するものである。
【背景技術】
【０００２】
パチンコ機等の遊技機の前面枠は、一端が蝶番で本体枠に固定され、他端は自由端として本体枠に対し回動可能となっており、前面枠の背面の自由端側に本体枠との施錠を可能とする前面枠用の施錠装置が設けられている（例えば、特許文献１参照。）
【特許文献１】特開２００２−５８８４６号公報（第７頁、第１図）
【考案の開示】
【考案が解決しようとする課題】
【０００３】
特許文献１に記載の前面枠用の施錠装置は、例えば、前面枠と本体枠との間の僅かな間隙から、先端にフックが形成された帯状で薄い鋼板や先端が折り曲げられてフックが形成されたピアノ線のような不正操作具を挿入し、施錠装置の鉤部にフックを係止させ、施錠装置を解錠し、前面枠を本体枠から開放させ、前面枠の裏側に配設された機器や部品を改変したり、遊技機の勝率を制御するＲＯＭを勝率の高い裏ＲＯＭと交換する等の不正操作を防止しようとするものである。
特許文献１に記載の前面枠用の施錠装置は、前記したようなフックを有する操作具を用いた遊技機への不正操作に対しては有効であるが、不正に入手した合い鍵等が使用された場合には、十分とはいえない。
【０００４】
そこで、前面枠用の施錠装置による遊技機への不正操作を防止することに加え、遊技機の前面枠の裏側に配設された機器や部品のうち、例えば、遊技機の勝率を制御するＲＯＭを備えた制御基板板をケースに入れ、これを封止シールで封止し、封止シールを破損しない限りケースを開けることができないようし、封止シールが破損されていれば、不正操作がなされたことが分かるようにしたり、機器や部品を覆う裏側カバーを設け、同様に、封止シールで封止し、封止シールを破損しない限り裏側カバーを開けることができないようにし、封止シールの破損がある場合は、不正操作がなされたことが容易に分かるようにすることが行われている。
しかしながら、不正目的で、封止シールが剥がされ、不正操作が行われ、封止シールと同種のシールや類似したシールが貼り直されれたりすると、不正操作が行われた遊技機を見出すことは困難である。また、封止シールでは、遊技機の検査時や故障時の部品の交換等に際し、封止を剥がし、その後、新たな封止シールで封止し直さねばならないこと等から面倒である。
【０００５】
この考案は、上記のような実情に鑑み鋭意研究の結果創案されたものであり、遊技機の前面枠の裏側に配設された機器や部品への不正操作を確実にかつ簡便に防止すること、より具体的には、遊技機への不正操作を防止するため裏側カバーを施錠することのできる施錠装置を提供することを目的としている。
【課題を解決するための手段】
【０００６】
上記課題を解決するために、この考案は、（ｉ）遊技機の前面枠裏側に配設された裏側カバーを施錠する施錠装置であって、施錠用板部と、該施錠用板部と直交して錠取着用板部が形成された基枠の内側に、前記錠取着用板部に取着されたシリンダー錠の錠軸が突出し、該錠軸に掛け金が固定され、前記シリンダー錠のキーの施錠・解錠操作により、前記掛け金が前記施錠用板部から外方に出没可能とされており、前記施錠用板部に設けられた軸受を中心に前記基枠が前記前面枠側に設けられた支軸を中心にロック位置とアンロック位置との間で回動可能とされ、前記基枠のロック位置において、前記施錠用板部に形成された係止部によって裏側カバーを係止し、前記シリンダー錠の施錠操作で、前記掛け金による施錠が行われ、前記シリンダー錠の解錠操作で、前記掛け金の解錠が行われ、前記基枠がアンロック位置に回動されることにより、前記係止部による裏側カバーの係止が解除されることを特徴とする。
【０００７】
（ｉｉ）前記（ｉ）において、前記施錠用板部は、逆Ｌ字形状であって、該逆Ｌ字形状の長辺側の外側端縁から前記錠取着用板部が起立しており、長辺側の内側端縁に沿って前記掛け金が前記錠軸を中心に回動可能とされ、前記逆Ｌ字形状の角部に前記軸受が設けられ、前記逆Ｌ字形状の短辺側が前記裏側カバーを係止する係止部として機能するようになっていることが好ましい。
（ｉｉｉ）前記（ｉ）または（ｉｉ）において、前記軸受は、すべり軸受であることが好ましい。
（ｉｖ）前記（ｉ）〜（ｉｉｉ）のいずれかにおいて、前記基枠の内側を保護する保護カバーが、前記基枠に取り付けられていることが好ましい。
そして、この考案の施錠装置の遊技機への設置位置は、遊技機の種類、裏側カバーによるカバー範囲、裏側カバーの支持形態等によって各種選択されるものであり、例えば、（ｖ）前記（ｉ）〜（ｉｖ）のいずれかにおいて、前記裏側カバーが前面枠の裏側において、前記前面枠に対し開閉可能にヒンジ結合されており、前記支軸が前記前面枠に配設されているものであってもよい。
【考案の効果】
【０００８】
この考案は、以上説明したように構成されているので、以下に記載されるような効果を奏する。
すなわち、この考案の施錠装置によれば、基枠のアンロック位置において、裏側カバーによって前面枠の背面に配設された機器や部品を覆った状態にした後、基枠を支軸を中心にロック位置まで回動させ、施錠用板部に形成された係止部によって裏側カバーを係止させ、次いで、キーによりシリンダー錠を施錠操作することで、掛け金による施錠が行われる。この状態では、裏側カバーは、この考案の施錠装置によって施錠されており、遊技機の背面に配設された機器や部品への不正操作は、シリンダー錠の解錠操作を行わない限り行うことができず、不正操作に対し安全性が高い。
【０００９】
この施錠装置による裏側カバーの施錠、解錠操作は、支軸を中心とした基枠の回動と、シリンダー錠のキー操作といった簡便な操作によって行うことができる。
また、遊技機の検査時や故障時の部品の交換等の際には、施錠状態において、キーによりシリンダー錠を解錠操作することで、掛け金の解錠が行われ、基枠をアンロック位置に回動することで、施錠用板部に形成された係止部による裏側カバーの係止が容易に解除されることになる。
この施錠装置は、コンパクトであって、場所を取らず遊技機の背面での占有面積等も僅かでよい。
また、遊技機の背面への取り付けも軸受によって支軸を中心に回動可能とすればよく、取付も容易である。
また、この施錠装置の構造は、簡単であることから、製造コストも安価である。
【００１０】
なお、この考案の施錠装置とともに、前記した封止シールを用いてもよいことはいうまでもない。この場合、遊技機の検査時や故障の際の部品の交換等の際に、施錠装置を解錠し、裏側カバーによる機器や部品を覆った状態を解除した後、既に貼り付けられた封止シールを剥がし、検査や部品の交換等の所定の作業を行い、裏側カバーによる機器や部品を覆った状態に戻した後、検査や部品の交換等を行った日時、内容を記載した新しい封止シールで再封止し、この考案の施錠装置により施錠するようにすればよい。
この考案の施錠装置における前記した以外の作用・効果は、明細書全体の記載から明らかである。
【考案を実施するための最良の形態】
【００１１】
以下、実施を実施するための最良の形態を示し、さらに詳しくこの考案について説明する。もちろんこの考案は以下の形態によって限定されるものではない。
図１は、この考案の施錠装置を備えた遊技機の一例であって、遊技機としてのパチンコ機の前面枠を本体枠に対し開放した状態を示す概略斜視図である。図２は、この考案の施錠装置を示し、（ａ）は正面図、（ｂ）は背面図、（ｃ）は右側面図、図３は、施錠装置、受け金、前面枠との関係を示す分解斜視説明図である。
【００１２】
図１に示すように、本体枠１に対し前面枠２が蝶番によって水平方向に開閉可能となっており、前面枠２の自由端側の背面には、前面枠２の施錠装置３が取り付けられている。該施錠装置３の鉤部４、４が本体枠１の内側に設けられた受け金具（図示せず）と係合することで、前面枠２が本体枠１に対し施錠可能となっており、一方、キー操作により、鉤部４、４と受け金具との係合を解除して解錠することで、前面枠２が本体枠１に対し開放できるようになっている。
【００１３】
前面枠２には、遊技盤５が取り付けられている。遊技盤５には、主制御基板ボックス６の他、図示していないが、可変画像表示装置、入賞装置、ランプ制御基板ボックス、音声制御基板ボックス、中継基板、接続端子板、球受け樋、賞球払出装置等が配設されている。主制御基板ボックス６内には、勝率を制御するＲＯＭ、パチンコ機の遊技制御用ＣＰＵ等が設けられている。球受け樋、賞球払出装置（いずれも図示せず）等は、背面側から見て右方寄りに配設されている。
前面枠２の下方には、球発射装置７、球発射装置制御基板ボックス８が配設されている。
【００１４】
そして、遊技盤５には、裏側カバー９が蝶番（図示せず）によって水平方向に開閉可能となっている。裏側カバー９には、賞球タンク１０が設けられており、前記球受け樋に賞球を供給するようになっている。図１における裏側カバー９は、可変画像表示装置、入賞装置、ランプ制御基板ボックス、音声制御基板ボックス、中継基板、接続端子板等を覆うサイズとなっている。裏側カバー９の自由端側には、後述する施錠装置の係止部によって係止される平坦板部１２が設けられている（図４（ｂ）、図５参照）。また、裏側カバー９の自由端側の上下位置には、前面枠２に係着するための係着具１３、１３が設けられている。係着具１３としては、例えば、ナイラッチ（登録商標）が採用できる。このような係着具１３を用いると、裏側カバー９を開放するのに手間がかかることから、不正操作防止にとって有効となる。なお、図１の主制御基板ボックス６は、図示していないが裏側カバー９が開放されない限り、主制御基板ボックス６を開くことができない構造となっている。そのような構造としては、例えば、裏側カバー９に突起を、主制御基板ボックス６側に凹部を設け、裏側カバー９が閉止された時、突起と凹部が係合するようにしたものが採用できる。裏側カバー９には、図示していないが、放熱用に通風孔が形成されている。
【００１５】
施錠装置Ａは、裏側カバー９を閉止位置で施錠するものであって、前面枠２に設けられた穴部２ａから後方に突設した支軸１４（図３、図４（ｂ）参照）を中心にしてロック位置とアンロック位置との間で回動可能に支持されている。施錠装置Ａによって、少なくとも裏側カバー９に覆われた可変画像表示装置、入賞装置、ランプ制御基板ボックス、音声制御基板ボックス、中継基板、接続端子板等への不正操作が防止されることになる。図１においては、施錠装置Ａは、ロック位置にあり、裏側カバー９が施錠された状態にある。
【００１６】
施錠装置Ａの具体的構造は、図２、図３に示されている。
施錠装置Ａの基枠１５は、金属板を折り曲げて形成されてなる。基枠１５は、矩形状の切欠により逆Ｌ字形状に形成された施錠用板部１６と、逆Ｌ字形状の長辺側の外側端縁から該施錠用板部１６と直交する矩形状の錠取着用板部１７が起立しており、錠取着用板部１７には、その上辺から矩形状の天板部１８が施錠用板部１６の逆Ｌ字形状の短辺側に折り曲げ形成され、下辺からは矩形状の底板部１９が天板部１８と平行に形成されている。天板部１８は、施錠用板部１６と同じ長さとされており、施錠用板部１６と溶接することで、基枠１５が補強される。底板部１９の長さは、天板部１８の長さのほぼ半分程度とされ、後述するように、保護カバー２０とともに、錠取着用板部１７に取着されたシリンダー錠２２の錠軸２１や、掛け金２３等に対し、不正操作がなされないようにされている。
【００１７】
錠取着用板部１７には、錠挿通用孔１７ａが穿設されており、シリンダー錠２２の錠取着用板部１７への取着は、錠挿通用孔１７ａに錠軸２１を先にして挿通し、基枠１５の内側に出た筒部２４の外周に形成されたネジ山に取付ナット２５を螺合することで行われる。
【００１８】
シリンダー錠２２の錠軸２１には掛け金２３が嵌め合わされ、止め輪２７によって固定されている。掛け金２３には、突起２３ａが形成されており、シリンダー錠２２の後端面側に設けられた回動規制ストッパー２８に当接して、錠軸２１を中心とする回動角度が規制され、施錠位置と解錠位置との間で回動可能とされている。掛け金２３の回動角度は、図２（ｂ）から明らかなように横方向を向いた施錠角度位置と、上方を向いた解錠角度位置との間のほぼ９０゜に設定されており、キー２９をシリンダー錠２２の錠溝２２ａに挿入し、キーの施錠・解錠操作により、掛け金２３が施錠用板部１６の逆Ｌ字形状の長辺側の内側端縁１６ａに沿って回動し、施錠用板部１６の外方に出没可能となっている。
施錠用板部１６の逆Ｌ字形状の短辺側は、裏側カバー９の平坦板部１２と係止する係止部１６ｂとなっている。
【００１９】
施錠用板部１６の逆Ｌ字形状の角部にすべり軸受３１が設けられ、前面枠２に設けられた支軸１４を中心に基枠１５がロック位置とアンロック位置との間で回動可能とされる。支軸１４の先端部にはネジ山が形成されており、支軸１４を軸受３１に挿通した後、基枠１５の内側からコイルスプリング３２を支軸１４に挿通し、支軸１４の先端部に笠付きのナット３３を螺合することで、基枠１５が支軸１４を中心に回動可能に取り付けられる。支軸１４は、前面枠２に形成された穴部２ａ（図３参照）の中心から後方に突出しており、穴部の径は、軸受３１を受け入れ、施錠装置Ａが支軸１４を中心に回動可能となるように設定されている。コイルスプリング３２は、基枠１５を受け金３４側に押圧し、施錠装置Ａのロック位置において、裏側カバー９の平坦板部１２を係止部１６ｂが係止する際に、平坦板部１２の厚さに応じ、基枠１５が支軸１４の軸線方向に沿った若干の移動を可能とし、裏側カバー９を遊技盤５とで挟み込み、裏側カバー９を遊技盤５に密着させる機能を果たす。
【００２０】
受け金３４は、金属板を断面Ｌ字状に折り曲げたものであって、側板部３５と正面板部３６とからなり、正面板部３６には、掛け金２３と係合して、施錠装置Ａをロック位置に固定するためのスリット３６ａが形成されている。また、正面板部３６には、支軸１４を挿通するとともに軸受３１を挿通することのできる孔３６ｂ、受け金３４を前面枠２に固定するためのネジ孔３６ｃが穿設されている。
なお、支軸１４に基枠１５を回動可能に支持するための構造としては、前記した構造に限られるものではないことはいうまでもない。
【００２１】
基枠１５の錠取着用板部１７には、ネジ孔１７ｂ、１７ｂが穿設され、基枠１５の内側を保護する保護カバー２０が固定できるようになっている。保護カバー２０は、所定形状の金属板を断面コ字状に折り曲げて形成したものである。保護カバー２０には、ネジ孔２０ａ、２０ａが穿設されており、ネジ３８、３８によって、錠取着用板部１７に固定される。保護カバー２０は、前述したように、シリンダー錠２２の錠軸２１や、掛け金２３、笠付きナット３３等に対し、不正操作がなされないように機能する。
【００２２】
前記した施錠装置Ａ、受け金３４、支軸１４の各構造、およびこれらの関係から明らかであるが、施錠装置Ａを保護カバー２０を未装着な段階まで組み立て（図２（ａ）〜（ｃ）参照）、前面枠２に受け金３４をネジ固定した後、軸受３１を支軸１４に挿通し、基枠１５の内側に突出した支軸１４にコイルスプリング３２を挿通し、支軸１４の先端部に笠付きのナット３３を螺合させ、基枠１５を支軸１４を中心に回動可能に取り付けることで、施錠装置Ａによって裏側カバー９の施錠・解錠が可能となる。そして、保護カバー２０を錠取着用板部１７にネジ固定する。
【００２３】
図４（ａ）は、このようにして組み立てられた施錠装置Ａが裏側カバー９を施錠した状態を示す部分斜視図である。この状態においては、掛け金２３が受け金３４のスリット３６ａに係合し、施錠用板部１６に形成された係止部１６ｂが、裏側カバー９の平坦板部１２を係止しており、裏側カバー９内の各種制御基板や、主制御基板ボックス６内のＲＯＭ、ＣＰＵ等に不正操作を行うことができない。なお、裏側カバー９は、係着具１３、１３によって前面枠２と係着している。図４（ｂ）は、図４（ａ）において、便宜上、施錠装置Ａが支軸１４から取り外された形態を示しており、施錠装置Ａの係止部１６ａによって係止される裏側カバー９の平坦板部１２を明確にしたものである。
【００２４】
施錠装置Ａの施錠状態において、キー２９をシリンダー錠２２の錠溝２２ａに差し込み、キー２９を解錠方向に回すと、掛け金２３が基枠１５内に退避し、受け金３４との施錠が解錠され、施錠装置Ａが支軸１４を中心に回動可能となる。次いで、施錠装置Ａを、図５（ａ）に示すロック位置から、図５（ｂ）に示すアンロック位置にまで支軸１４を中心に時計方向に回動させる。これによって、施錠用板部１６に形成された係止部１６ｂと裏側カバー９の平坦板部１２との係止が解除され、裏側カバー９を開くことができるようになる。裏側カバー９を開くには、さらに、係着具１３、１３を後方に引っ張って前面枠２との係着を解除する必要がある。裏側カバー９が開かれた状態において、必要な検査、故障した部品の交換等を行えばよい。
【００２５】
施錠装置Ａによって、再度、裏側カバー９を施錠するには、裏側カバー９を閉め、係着具１３、１３を押し込んで前面枠２と係着させ、次いで、施錠装置Ａを図５（ｂ）に示すアンロック位置から、施錠装置Ａを支軸１４を中心に反時計方向に図５（ａ）に示すロック位置にまで回動させて、施錠用板部１６に形成された係止部１６ｂによって、裏側カバー９の平坦板部１２を係止させ、次いで、キー２９を施錠方向に回すことで、掛け金２３を受け金３４のスリット３６ａと係合させればよい。施錠が完了したら、キー２９をシリンダー錠２２から抜き取ればよい。
【００２６】
施錠状態では、裏側カバー９は、施錠装置Ａによって施錠されており、遊技機の背面に配設された機器や部品への不正操作は、合い鍵等を入手して、シリンダー錠２２の解錠操作を行わない限り行うことができず、不正操作に対し安全性が高い。
また、施錠状態では、施錠装置Ａがロック位置にあって、施錠用板部１６の係止部１６ｂによって裏側カバー９の平坦板部１２が係止されており、キーが抜き取られている状態にあれば、施錠が確実に行われており、施錠の確認が容易である。
【００２７】
そして、不正操作を行うには、合い鍵等によるシリンダー錠２２の解錠を行わない限りは、施錠装置Ａを破壊するか、または、裏側カバー９を破壊することになり、このような場合は、不正操作が行われたことが容易に発見できる。
施錠装置Ａによる裏側カバー９の施錠、解錠操作は、支軸１４を中心とした基枠１５の回動と、シリンダー錠２２のキー操作といった簡便な操作によって行うことができる。
【００２８】
遊技機の検査時や故障の際の部品の交換等の際には、施錠状態において、キー２９によりシリンダー錠２２を解錠操作することで、掛け金２３が受け金３４から外れ、次いで、基枠１５をアンロック位置に回動することで、施錠用板部１６に形成された係止部１６ｂによる裏側カバー９の係止が容易に解除されることになる。
施錠装置Ａは、コンパクトであって、場所を取らず遊技機の背面での占有面積等も僅かでよい。
また、遊技機の背面への取り付けも軸受３１によって支軸１４を中心に回動可能とすればよく、取付も容易である。
また、施錠装置Ａの構造は、簡単であることから、製造コストも安価である。
【００２９】
施錠装置Ａによって施錠される裏側カバーは、図１に示されたカバー範囲のものに限られず、図６に示すように主制御基板ボックスをも覆う裏側カバー４０であってもよい。逆に、裏側カバーは、図１に示されたカバー範囲よりも狭いものであってもよい。この場合は、施錠装置Ａの設置位置を変更すればよい。
【００３０】
図１においては、施錠装置によって施錠する裏側カバーを、蝶番で水平方向に回動可能としたものとして説明したが、これに限られず、例えば、裏側カバーを遊技盤５から完全に取り外すようにした着脱構造であってもよい。この場合は、左右に、施錠装置を設ければよい。
また、図１において、遊技盤５に主制御基板ボックス６、可変画像表示装置、入賞装置、ランプ制御基板ボックス、音声制御基板ボックス、中継基板等を配設したものとして説明したが、これに限られず、例えば、遊技盤５に蝶番によって水平方向に回動可能な制御支持盤を設け、該制御支持盤に主制御基板ボックス６、入賞装置、ランプ制御基板ボックス、音声制御基板ボックス、中継基板等を配設するようにしたものであってもよい。
【００３１】
また、図１において、裏側カバーに賞球タンクを設けたものとして説明したが、これに限られず、例えば、遊技盤５または前面枠に蝶番によって水平方向に回動可能とした機構板を設け、機構板に賞球タンク、球受け樋等を配設するようにしたものを用いてもよい。
【００３２】
また、この考案の施錠装置は、図３等に記載した構造に限定されるものではなく、種々の構造が採用可能であり、例えば、図７に示すように、基枠４１の施錠用板部４２が矩形状で、該施錠用板部４２に掛け金２３が通過するスリット４２ａが形成されたものであってもよい。図７に示す施錠装置Ｂにおいては、図３に示す施錠装置と同一の構造については、同一番号を付し説明を省略する。なお、この場合は、裏側カバーの平坦板部を施錠装置Ｂに適合した形状等とすればよい。
【００３３】
そして、この考案の施錠装置は、図１に示した構造のパチンコ機に限られず各種の構造のパチンコ機に使用することができることはもちろん、パチンコ機以外の各種の遊技機に使用することができる。
【図面の簡単な説明】
【００３４】
【図１】この考案の施錠装置を備えた遊技機の一例であって、遊技機としてのパチンコ機の前面枠を本体枠に対し開放した状態を示す概略斜視図である。
【図２】図１に示す施錠装置であって、（ａ）は正面図、（ｂ）は背面図、（ｃ）は右側面図である。
【図３】図１に示す施錠装置とこれに関連する部品との関係を示す分解斜視説明図である。
【図４】（ａ）は、図１に示す施錠装置によって裏側カバーが施錠された状態を示す部分拡大斜視図であって、（ｂ）は、施錠装置が支軸から取り外された形態を示す部分拡大斜視図である。
【図５】図１に示す施錠装置と裏側カバーとの解錠操作の説明図であって、（ａ）は施錠装置がロック位置にある状態、（ｂ）は施錠装置がアンロック位置にある状態を示す。
【図６】この考案の施錠装置を備えた遊技機の他例であって、遊技機としてのパチンコ機の前面枠を本体枠に対し開放した状態を示す概略斜視図である。
【図７】この考案の施錠装置の他例を示す分解斜視説明図である。
【符号の説明】
【００３５】
Ａ  施錠装置
１  本体枠
２  前面枠
９  裏側カバー
１４  支軸
１５  基枠
１６  施錠用板部
１７  錠取着用板部
２２  シリンダー錠
２３  掛け金
３１  軸受
３４  受け金
【図１】
0003101968.tif 000003
【図２】
0003101968.tif 000004
【図３】
0003101968.tif 000005
【図４】
0003101968.tif 000006
【図５】
0003101968.tif 000007
【図６】
0003101968.tif 000008
【図７】
0003101968.tif 000009